(57)【要約】 【課題】  異なる３以上の周波数帯域における多共振化及び広帯域化を実現する。 【解決手段】  アンテナ基板１１の表面には、下辺の給電部から上方に向かって斜辺に接するよう形成されたアンテナ本体部のパターンと、逆Ｕ字状に形成された折り返し部のパターンと、アンテナ本体部の上端を折り返し部に接続するよう形成された連結部のパターンとからなる第１エレメントが形成されている。アンテナ基板１１の裏面には、アンテナ本体部のパターンに重なるように、使用周波数帯域に共振する長とされた細長い矩形状のパターンを有する第２エレメント２１−１が形成されている。給電部２１−１ａが、第１エレメントおよび第２エレメント２１−１の給電点とされる。 【選択図】  図６
2012023493.tif 000002
【特許請求の範囲】
【請求項１】
アンテナ基板上に形成されたアンテナパターンからなる多周波アンテナであって、 
横長の矩形状の絶縁基板における上辺を一部残すように上辺から対角に向かって斜めに切り欠いた斜辺を有する形状とされた前記アンテナ基板と、 
該アンテナ基板の下辺に形成されている給電部から上方に向かって前記斜辺に接するよう前記アンテナ基板の表面に形成されたアンテナ本体部のパターンと、逆Ｕ字状に前記アンテナ基板の表面の上部に形成された折り返し部のパターンと、前記アンテナ本体部の上端を前記折り返し部に接続するよう前記アンテナ基板の表面に形成された連結部のパターンとを有する第１エレメントと、 
前記第１エレメントにおける前記アンテナ本体部のパターンに重なるように、前記アンテナ基板の裏面に形成された所定長とされた細長い矩形状のパターンを有する第２エレメントとを備え、 
前記給電部が、前記第１エレメントおよび前記第２エレメントの給電点とされていることを特徴とする多周波アンテナ。 
【請求項２】
前記第１エレメントは第１使用周波数帯域および第２使用周波数帯域に共振する寸法とされており、前記第２エレメントは、第３使用周波数帯域に共振する長さとされた１本の細長い矩形状のパターンを有していることを特徴とする請求項１記載の多周波アンテナ。
【請求項３】
前記第１エレメントは第１使用周波数帯域および第２使用周波数帯域に共振する寸法とされており、前記第２エレメントは、第３使用周波数帯域に共振する長さとされた細長い矩形状の第１パターンと、該第１パターンに隣接して形成されると共に下端が前記第１パターンの下端に接続されている第４周波数帯域に共振する長さとされた細長い矩形状の第２パターンとを有していることを特徴とする請求項１記載の多周波アンテナ。 
【請求項４】
前記第１エレメントは第１使用周波数帯域および第２使用周波数帯域に共振する寸法とされており、前記第２エレメントは、第３使用周波数帯域に共振する長さとされた細長い矩形状の第１パターンと、該第１パターンに隣接して形成されると共に下端が前記第１パターンの下端に接続されている第４周波数帯域に共振する長さとされた細長い矩形状の第２パターンと、該第２パターンに隣接して形成された無給電とされる第５周波数帯域に共振する長さとされた細長い矩形状の第３パターンとを有していることを特徴とする請求項１記載の多周波アンテナ。 
【請求項５】
前記第１エレメントは第１使用周波数帯域および第２使用周波数帯域に共振する寸法とされており、前記第２エレメントは、第３使用周波数帯域に共振する長さとされた細長い矩形状の第１パターンと、該第１パターンに隣接して形成されると共に下端が前記第１パターンの下端に接続されている第４周波数帯域に共振する長さとされた細長い矩形状の第２パターンと、該第２パターンに隣接して形成された無給電とされる第５周波数帯域に共振する長さとされた細長い矩形状の第３パターンと、該第３パターンに隣接して形成された無給電とされる第６周波数帯域に共振する長さとされた細長い矩形状の第４パターンとを有していることを特徴とする請求項１記載の多周波アンテナ。 
【請求項６】
前記アンテナ基板の下辺に対して前記第２エレメントが所定角度傾斜して形成されていることを特徴とする請求項２ないし５のいずれかに記載の多周波アンテナ。 
【請求項７】
前記アンテナ基板の下辺に対して前記第２エレメントが約２０°ないし約６０°の角度範囲で傾斜して形成されていることを特徴とする請求項２ないし５のいずれかに記載の多周波アンテナ。 
【発明の詳細な説明】
【技術分野】
【０００１】
本発明は、モノポールアンテナの多共振化および広帯域化を図った多周波アンテナに関するものである。 
【背景技術】
【０００２】
従来のデュアルバンド化された多周波アンテナの構成を図２８および図２９に示す。図２８は従来の多周波アンテナの構成を示す正面図であり、図２９は従来の多周波アンテナの構成を示す背面図である。 
これらの図に示す多周波アンテナ１００は、アンテナ基板１１０に形成されたアンテナパターンにより構成されている。アンテナ基板１１０は、図示するように横長の矩形状の基板を上辺の一部を残して左辺に行くほど高さが低くなる斜辺を有している。このように対角に向かって斜めにカットされたことにより形成された斜辺は途中から角度が若干緩やかになるよう形成されており、残された上辺により平らな頂辺が形成され、頂辺に対して右辺がほぼ直角に形成されている。アンテナ基板１１０の下辺には中央前よりに第１突起片１１１ａが形成され、第１突起片１１１ａよりやや幅が狭くされた第２突起片１１１ｂと第３突起片１１１ｃとが下辺の両側にそれぞれ形成されている。これらの突起片１１１ａ〜１１１ｃは矩形状とされており、アンテナ基板１１０が取り付けられる図示しない給電基板の嵌合孔に嵌入され、立設されて固着される。この際に、第３突起片１１１ｃに形成されているパターンが給電基板に電気的に接続される。 
【０００３】
アンテナ基板１１０の表面には、図２８に示すように第１エレメント１２０からなるモノポールアンテナのアンテナパターンが形成されている。第１エレメント１２０とされるアンテナパターンは第３突起片１１１ｃの部分に給電部１２０ｇが形成されており、給電部１２０ｇから上方へ向かってテーパ状に幅が広がる拡大表面とされているアンテナ本体部１２０ａのパターンが形成されている。そして、アンテナ本体部１２０ａの左斜辺のほぼ中央にほぼ矩形状の第１調整片１２０ｂが突出して形成されており、アンテナ本体部１２０ａの右斜辺のほぼ中央にほぼ矩形状の第２調整片１２０ｃが突出して形成されている。アンテナ本体部１２０ａの上部において右斜辺は、傾斜態様が右傾斜から左傾斜へ反転されている。このアンテナ本体部１２０ａの上端に連接して屈曲された連結部１２０ｄのパターンが形成され、この連結部１２０ｄのパターンの先端は、折り返し部１２０ｅのパターンに連結されている。折り返し部１２０ｅのパターンは、アンテナ基板１１０の外縁に沿って折り返すように逆Ｕ字状に形成されており、折り返し部１２０ｅのパターンの右側の内側のほぼ中央からほぼ水平にアンテナ本体部１２０ａのテーパ状パターンに向かって延伸する延伸部１２０ｆのパターンが形成されている。また、第１突起片１１１ａおよび第２突起片１１１ｂには、それぞれ矩形状のパターンが形成されている。 
また、アンテナ基板１１０の裏面には図２９に示すように、第１突起片１１１ａ、第２突起片１１１ｂおよび第３突起片１１１ｃに、それぞれ矩形状のパターンが形成されているだけであり、その他にパターンは形成されていない。 
【先行技術文献】
【特許文献】
【０００４】
【特許文献１】特開２００９−１７１１６号公報
【発明の概要】
【発明が解決しようとする課題】
【０００５】
図２８および図２９に示す従来の多周波アンテナ１００の電圧定在波比（ＶＳＷＲ）の周波数特性を図３０に示す。図３０に示すＶＳＷＲ特性を参照すると、８１５ＭＨｚにおけるＶＳＷＲが約１．９、８７５ＭＨｚにおけるＶＳＷＲが約２、１４２７ＭＨｚにおけるＶＳＷＲが約４．６、１５１１ＭＨｚにおけるＶＳＷＲが約４、１９２０ＭＨｚにおけるＶＳＷＲが約１．３、２１７０ＭＨｚにおけるＶＳＷＲが約２．７、２３００ＭＨｚにおけるＶＳＷＲが約６．９、２４００ＭＨｚにおけるＶＳＷＲが約７．３、２５００ＭＨｚにおけるＶＳＷＲが約７．７、２６００ＭＨｚにおけるＶＳＷＲが約７となっている。 
このように、移動電話において第３世代から第４世代に移行させるためのＬＴＥ（Long term Evolution）の通信規格用の周波数帯域とされる８１５−８７５ＭＨｚの８００ＭＨｚ帯と１９２０−２１７０ＭＨｚの２ＧＨｚ帯においてはＶＳＷＲが３以下となるが、１４２７−１５１１ＭＨｚのＬＴＥの１．５ＧＨｚ帯と、２３００ＭＨｚと、無線ＬＡＮの周波数帯である２４００−２５００ＭＨｚの２．４ＧＨｚ帯と、ＷｉＭＡＸ（Worldwide Interoperability for Microwave Access）の２５００−２６００ＭＨｚの２．５ＧＨｚ帯においては良好なＶＳＷＲが得られていない。 
【０００６】
近年、無線ＬＡＮ、ＷｉＭＡＸ、ＬＴＥ等の異なる３以上の周波数帯域において、１つのアンテナによりインピーダンス整合をとり、多共振化及び広帯域化を実現することが求められているが、従来の多周波アンテナにおいては、上記したように２共振化することはできるが、３以上の多共振化を実現することができないという問題点があった。 
そこで、本発明は、異なる３以上の周波数帯域において多共振化及び広帯域化を実現することができる多周波アンテナを提供することを目的としている。 
【課題を解決するための手段】
【０００７】
本発明の多周波アンテナは、アンテナ基板上に形成されたアンテナパターンからなる多周波アンテナであって、横長の矩形状の絶縁基板における上辺を一部残すように上辺から対角に向かって斜めに切り欠いた斜辺を有する形状とされた前記アンテナ基板と、該アンテナ基板の下辺に形成されている給電部から上方に向かって前記斜辺に接するよう前記アンテナ基板の表面に形成されたアンテナ本体部のパターンと、逆Ｕ字状に前記アンテナ基板の表面の上部に形成された折り返し部のパターンと、前記アンテナ本体部の上端を前記折り返し部に接続するよう前記アンテナ基板の表面に形成された連結部のパターンとを有する第１エレメントと、前記第１エレメントにおける前記アンテナ本体部のパターンに重なるように、前記アンテナ基板の裏面に形成された所定長とされた細長い矩形状のパターンを有する第２エレメントとを備え、前記給電部が、前記第１エレメントおよび前記第２エレメントの給電点とされていることを最も主要な特徴としている。 
【発明の効果】
【０００８】
本発明によれば、第１エレメントは第１使用周波数帯域および第２使用周波数帯域に共振するようになり、第２エレメントは他の周波数帯域に共振するようになる。この場合、複数本のパターンを有する第２エレメントとすることにより、３以上の多共振化を可能とすることができるようになる。また、第２エレメントを傾斜して形成することにより、より広帯域化を図ることができるようになる。 
【図面の簡単な説明】
【０００９】
【図１】本発明の実施例にかかる多周波アンテナの構成を示す斜視図である。
【図２】本発明の実施例にかかる多周波アンテナの構成を示す側面図である。
【図３】本発明の実施例にかかる多周波アンテナの構成を斜視図示す分解組立図である。
【図４】本発明にかかる多周波アンテナの第１多周波エレメント構成の表面の構成を示す図である。
【図５】本発明にかかる多周波アンテナの第１多周波エレメント構成の寸法を示す図である。
【図６】本発明にかかる多周波アンテナの第１多周波エレメント構成の裏面の構成を示す図である。
【図７】本発明にかかる多周波アンテナの第１多周波エレメント構成におけるＶＳＷＲの周波数特性を示す図である。
【図８】本発明にかかる多周波アンテナの第２多周波エレメント構成の裏面の構成を示す図である。
【図９】本発明にかかる多周波アンテナの第２多周波エレメント構成におけるＶＳＷＲの周波数特性を示す図である。
【図１０】本発明にかかる多周波アンテナの第３多周波エレメント構成の裏面の構成を示す図である。
【図１１】本発明にかかる多周波アンテナの第３多周波エレメント構成におけるＶＳＷＲの周波数特性を示す図である。
【図１２】本発明にかかる多周波アンテナの第４多周波エレメント構成の裏面の構成を示す図である。
【図１３】本発明にかかる多周波アンテナの第４多周波エレメント構成におけるＶＳＷＲの周波数特性を示す図である。
【図１４】本発明にかかる多周波アンテナの第５多周波エレメント構成の裏面の構成を示す図である。
【図１５】本発明にかかる多周波アンテナの第５多周波エレメント構成におけるＶＳＷＲの周波数特性を示す図である。
【図１６】本発明にかかる多周波アンテナの第６多周波エレメント構成の裏面の構成を示す図である。
【図１７】本発明にかかる多周波アンテナの第６多周波エレメント構成におけるＶＳＷＲの周波数特性を示す図である。
【図１８】本発明にかかる多周波アンテナの第７多周波エレメント構成の裏面の構成を示す図である。
【図１９】本発明にかかる多周波アンテナの第７多周波エレメント構成におけるＶＳＷＲの周波数特性を示す図である。
【図２０】本発明にかかる多周波アンテナの第８多周波エレメント構成の裏面の構成を示す図である。
【図２１】本発明にかかる多周波アンテナの第８多周波エレメント構成におけるＶＳＷＲの周波数特性を示す図である。
【図２２】本発明にかかる多周波アンテナの第９多周波エレメント構成の裏面の構成を示す図である。
【図２３】本発明にかかる多周波アンテナの第９多周波エレメント構成におけるＶＳＷＲの周波数特性を示す図である。
【図２４】本発明にかかる多周波アンテナの第１０多周波エレメント構成の裏面の構成を示す図である。
【図２５】本発明にかかる多周波アンテナの第１０多周波エレメント構成におけるＶＳＷＲの周波数特性を示す図である。
【図２６】本発明にかかる多周波アンテナの第１１多周波エレメント構成の裏面の構成を示す図である。
【図２７】本発明にかかる多周波アンテナの第１１多周波エレメント構成におけるＶＳＷＲの周波数特性を示す図である。
【図２８】従来の多周波アンテナの表面の構成を示す図である。
【図２９】従来の多周波アンテナの裏面の構成を示す図である。
【図３０】従来の多周波アンテナのＶＳＷＲの周波数特性を示す図である。
【発明を実施するための形態】
【００１０】
本発明の第１実施例の多周波アンテナ１の構成を図１ないし図３に示す。図１は本発明の実施例にかかる多周波アンテナ１の構成を示す斜視図であり、図２は本発明の実施例にかかる多周波アンテナ１の構成を示す側面図であり、図３は本発明の実施例にかかる多周波アンテナ１の構成を斜視図で示す分解組立図である。 
これらの図に示すように、本発明の実施例にかかる多周波アンテナ１は、電波透過性の合成樹脂からなるレドーム１０と、レドーム１０の下面を閉塞する合成樹脂製のベース１５とからなるアンテナケースを備えている。このアンテナケースの収納空間内には、給電基板１３を備える金属製の基板固定金具１２と、基板固定金具１２の給電基板１３に立設されて固着されたアンテナ基板１１が収納されている。レドーム１０は、後方中央部に頂部が形成されており、この頂部から前方に行くに従い高さが低くなると共に両側に行くに従い高さが低くなる流線型の外形形状とされている。アンテナ基板１１には、多共振化されたアンテナパターンが形成されており、給電基板１３に立設されて固着されている。アンテナ基板１１は、レドーム１０内に収納されることから、レドーム１０の内面の形状に合わせて先端に行くほど高さが低くなるようカットされた斜辺を有している。 
【００１１】
ベース１５には給電用のケーブル１６が導入され、ケーブル１６の先端は給電基板１３に電気的に接続される。このケーブル１６にはグロメット１４が取り付けられて、グロメット１４がベース１５に固着されている。ベース１５における上面の両側に縦長のほぼ矩形状の収納溝１５ａが形成されており、収納溝１５ａ内にはマグネットが収納される。そして、レドーム１０を基板固定金具１２の上から被嵌し、基板固定金具１２の周側部に形成されている挿通孔に下からビスを挿通してレドーム１０の内側の周側部に螺着する。これにより、レドーム１０でアンテナ基板１１を覆うようにレドーム１０の下面に基板固定金具１２が固着される。次いで、この状態の基板固定金具１２をベース１５に上から載置して、ベース１５の四隅に形成された挿通孔にベース１５の下面からビスを挿通して、基板固定金具１２の四隅に形成されたネジ孔に螺着する。これにより、多周波アンテナ１を組み立てることができる。この多周波アンテナ１は、ベース１５に複数のマグネットが内蔵されていることから、強磁性体製の台やデスクに載置することにより、マグネットが吸着して多周波アンテナ１を取り付けることができる。 
【００１２】
レドーム１０とベース１５からなるアンテナケースに収納されるアンテナ基板１１の表面の構成を図４に示す。 
図４に示すように、アンテナ基板１１は、横方向の長さがＬ１、高さがＷ１とされた横長の矩形状の基板を上辺の一部を残すように左辺に行くほど高さが低くなるようにカットされている。このように対角に向かって斜めにカットされたことにより形成された斜辺は途中から角度が若干緩やかになるよう形成されており、残された上辺により平らな頂辺が形成され、頂辺に対して右辺がほぼ直角に形成されている。アンテナ基板１１の下辺には中央前よりに第１突起片１１ａが形成され、第１突起片１１ａよりやや幅が狭くされた第２突起片１１ｂと第３突起片１１ｃとが両側にそれぞれ形成されている。これらの突起片１１ａ〜１１ｃは矩形状とされており、給電基板１３の図示しない嵌合孔に嵌入され、第３突起片１１ｃに形成されているパターンが給電基板１３に電気的に接続される。これにより、アンテナ基板１１に形成された後述する第１エレメント２０および第２エレメント２１−１へ給電されるようになる。基板固定金具１２に、アンテナ基板１１の下部が挟持されることによりアンテナ基板１１は立設されて固着される。 
【００１３】
アンテナ基板１１はガラスエポキシ基板とされ、アンテナ基板１１の表面と裏面にはアンテナパターンがプリントされている。本発明の実施例にかかる多周波アンテナ１においては、以下に説明するようにアンテナ基板１１に種々のアンテナパターンを形成することができる。図４ないし図６には、第１の多周波エレメント構成Ａとされたアンテナ基板１１の構成が示されている。図４はアンテナ基板１１の表面に形成されたモノポールアンテナとされる第１エレメント２０のアンテナパターンの構成を示す図であり、図５はアンテナ基板１１の表面に形成された第１エレメント２０のアンテナパターンの寸法の一例を示す図であり、図６はアンテナ基板１１の裏面に形成された第２エレメント２１−１のアンテナパターンの構成を示す図である。 
【００１４】
図４に示すように、アンテナ基板１１の表面に形成されているモノポールアンテナとされる第１エレメント２０のパターンは、アンテナ本体部２０ａを構成する拡大表面とされているパターンと、折り返し部２０ｅを構成する拡大表面とされているパターンと、アンテナ本体部２０ａの上端を折り返し部２０ｅの一端に接続する連結部２０ｄのパターンとから構成されている。第３突起片１１ｃの部分に給電部２０ｇが形成されており、アンテナ本体部２０ａは給電部２０ｇから上方へ向かってテーパ状に幅が広がる拡大表面とされているテーパ状のパターンを有している。そして、アンテナ本体部２０ａの左斜辺のほぼ中央にほぼ矩形状の第１調整片２０ｂが突出して形成されており、アンテナ本体部２０ａの右斜辺のほぼ中央にほぼ矩形状の第２調整片２０ｃが突出して形成されている。アンテナ本体部２０ａの上部において右斜辺は、傾斜態様が右傾斜から左傾斜へ反転されている。このアンテナ本体部２０ａの上端に連接して屈曲された連結部２０ｄのパターンが形成され、この連結部２０ｄのパターンの先端は、折り返し部１２０ｅのパターンの一端に連結されている。折り返し部２０ｅのパターンは、アンテナ基板１１の斜辺に接すると共に平らな頂辺に接するようアンテナ基板１１の外縁に沿って折り返されて逆Ｕ字状に形成されている。この折り返し部２０ｅのパターンにおいて、折り返された右側における若干幅が狭くされた内側のほぼ中央からほぼ水平にアンテナ本体部２０ａのパターンに向かって延伸する延伸部２０ｆのパターンが形成されている。また、第１突起片１１ａおよび第２突起片１１ｂには、それぞれ矩形状のパターンが形成されている。 
【００１５】
ここで、８１５−８７５ＭＨｚのＬＴＥの８００ＭＨｚ帯の中心周波数（８４５ＭＨｚ）の波長をλａとした際に、図５に示すアンテナ基板１１の横方向の長さＬ１は約０．２６λａとされ、高さＷ１は約０．１４λａとされている。また、アンテナ本体部２０ａのテーパ状のパターンにおける左斜辺の先端からアンテナ基板１１の右辺までの電気長Ｌ１１は約０．１２λａとされ、折り返し部２０ｅの逆Ｕ字状のパターンの頂辺から下端までの電気長Ｌ１３は約０．０８λａとされ、折り返し部２０ｅのパターンの右側の下端の幅の電気長Ｌ１２は約０．０３λａとされている。さらに、延伸部２０ｆの幅Ｗ２の電気長は約０．００７λａとされ、延伸部２０ｆの先端とアンテナ本体部２０ａとの間隔Ｗ３は約０．００２λａとされている。また、アンテナ本体部２０ａの下端から連結部２０ｄと折り返し部２０ｅとを合わせた外周長Ｌ１４は約０．３λａとされ、アンテナ本体部２０ａの下端から第２調整片２０ｃの先端までの外周長Ｌ１５は約０．０７２λａとされている。 
【００１６】
ところで、アンテナ基板１１の裏面には図６に示すように、第２エレメント２１−１のパターンが形成されている。第２エレメント２１−１のパターンは、細長い矩形状とされ第３突起片１１ｃの部分に形成された給電部２１−１ａから上方へ向かってほぼ垂直に形成されている。第２エレメント２１−１の長さは、１４２７−１５１１ＭＨｚのＬＴＥの１．５ＧＨｚ帯の中心周波数（１４６９ＭＨｚ）の波長をλ１とした際に、約０．２５λ１の電気長とされている。また、第１突起片１１ａ、第２突起片１１ｂおよび第３突起片１１ｃに、それぞれ矩形状のパターンが形成されている。なお、電気長で表した寸法の物理長は、アンテナ基板１１の比誘電率をεとした際に、電気長／√εとなる。 
【００１７】
上記寸法とした際の、第１の多周波エレメント構成Ａとされた多周波アンテナ１の電圧定在波比（ＶＳＷＲ）の周波数特性を図７に示す。 
図７に示すＶＳＷＲ特性を参照すると、８１５ＭＨｚにおけるＶＳＷＲが約２．３、８７５ＭＨｚにおけるＶＳＷＲが約２．３、１４２７ＭＨｚにおけるＶＳＷＲが約２．２、１５１１ＭＨｚにおけるＶＳＷＲが約１．８、１９２０ＭＨｚにおけるＶＳＷＲが約２、２１７０ＭＨｚにおけるＶＳＷＲが約１．８、２３００ＭＨｚにおけるＶＳＷＲが約２．５、２４００ＭＨｚにおけるＶＳＷＲが約３．４、２５００ＭＨｚにおけるＶＳＷＲが約４．１、２６００ＭＨｚにおけるＶＳＷＲが約３．８となっている。 
第１の多周波エレメント構成Ａにおいては、１４２７−１５１１ＭＨｚのＬＴＥの１．５ＧＨｚ帯に共振する第２エレメント２１−１を備えることから、移動電話において第３世代から第４世代に移行させるためのＬＴＥ（Long term Evolution）の通信規格用の周波数帯域とされる８１５−８７５ＭＨｚの８００ＭＨｚ帯と１４２７−１５１１ＭＨｚの１．５ＧＨｚ帯と１９２０−２１７０ＭＨｚの２ＧＨｚ帯においてはインピーダンス整合がとられてＶＳＷＲが２．３以下の良好なＶＳＷＲが得られている。また、２３００ＭＨｚにおいてはインピーダンス整合がとられてＶＳＷＲが２．５と良好になるが、無線ＬＡＮの周波数帯である２４００−２５００ＭＨｚの２．４ＧＨｚ帯と、ＷｉＭＡＸ（Worldwide Interoperability for Microwave Access）の２５００−２６００ＭＨｚの２．５ＧＨｚ帯においてはインピーダンス整合がとられておらずＶＳＷＲが最大４．１となってしまっている。 
【００１８】
次に、第２の多周波エレメント構成Ｂとされたアンテナ基板１１の構成を図８に示す。図８はアンテナ基板１１の裏面に形成された第２エレメント２１−２のアンテナパターンの構成を示す図である。なお、第２の多周波エレメント構成Ｂにおけるアンテナ基板１１の表面に形成されている第１エレメント２０のパターンの構成および寸法は図４および図５に示す第１の多周波エレメント構成Ａと同様とされている。 
図８に示す第２の多周波エレメント構成Ｂにおいて、アンテナ基板１１の裏面には第２エレメント２１−２のパターンが形成されている。第２エレメント２１−２のパターンは、細長い矩形状とされたエレメント２１−２ｂとエレメント２１−２ｃとの隣接する２本のパターンからなり、第３突起片１１ｃの部分に形成された給電部２１−２ａから二股に分かれて上方へ向かってほぼ垂直に形成されている。第２エレメント２１−２における短い方のエレメント２１−２ｂの電気長は、２５００−２６００ＭＨｚのＷｉＭＡＸの２．５ＧＨｚ帯の中心周波数（２５５０ＭＨｚ）の波長をλ２とした際に、約０．２５λ２の電気長とされている。また、第２エレメント２１−２における長い方のエレメント２１−２ｃの電気長は、約０．２５λ１の電気長とされている。さらに、第１突起片１１ａ、第２突起片１１ｂおよび第３突起片１１ｃに、それぞれ矩形状のパターンが形成されている。なお、電気長で表した寸法の物理長は、アンテナ基板１１の比誘電率をεとした際に、電気長／√εとなる。 
【００１９】
上記寸法とした際の、第２の多周波エレメント構成Ｂとされた多周波アンテナ１の電圧定在波比（ＶＳＷＲ）の周波数特性を図９に示す。 
図９に示すＶＳＷＲ特性を参照すると、８１５ＭＨｚにおけるＶＳＷＲが約２．１、８７５ＭＨｚにおけるＶＳＷＲが約２、１４２７ＭＨｚにおけるＶＳＷＲが約２．６、１５１１ＭＨｚにおけるＶＳＷＲが約１．２、１９２０ＭＨｚにおけるＶＳＷＲが約２．６、２１７０ＭＨｚにおけるＶＳＷＲが約１．３、２３００ＭＨｚにおけるＶＳＷＲが約４．５、２４００ＭＨｚにおけるＶＳＷＲが約５．７、２５００ＭＨｚにおけるＶＳＷＲが約２．９、２６００ＭＨｚにおけるＶＳＷＲが約２．２となっている。 
第２の多周波エレメント構成Ｂにおいては、ＷｉＭＡＸの２．５ＧＨｚ帯とＬＴＥの１．５ＧＨｚ帯に共振する第２エレメント２１−２を備えることから、ＬＴＥの８１５−８７５ＭＨｚの８００ＭＨｚ帯と１４２７−１５１１ＭＨｚの１．５ＧＨｚ帯と１９２０−２１７０ＭＨｚの２ＧＨｚ帯においてはインピーダンス整合がとられてＶＳＷＲが２．３以下となり、良好なＶＳＷＲが得られている。また、ＷｉＭＡＸの２５００−２６００ＭＨｚの２．５ＧＨｚ帯においてもインピーダンス整合がとられてＶＳＷＲが２．９以下の良好なＶＳＷＲが得られている。ただし、２３００ＭＨｚにおいてはインピーダンス整合がとられておらずＶＳＷＲが約４．５になってしまうと共に、無線ＬＡＮの２４００−２５００ＭＨｚの２．４ＧＨｚ帯においてもインピーダンス整合がとられておらずＶＳＷＲが最大５．７になってしまっている。 
【００２０】
次に、第３の多周波エレメント構成Ｃとされたアンテナ基板１１の構成を図１０に示す。図１０はアンテナ基板１１の裏面に形成された第２エレメント２１−３のアンテナパターンの構成を示す図である。なお、第３の多周波エレメント構成Ｃにおけるアンテナ基板１１の表面に形成されている第１エレメント２０のパターンの構成および寸法は図４および図５に示す第１の多周波エレメント構成Ａと同様とされている。 
図１０に示す第３の多周波エレメント構成Ｃにおいて、アンテナ基板１１の裏面には第２エレメント２１−３のパターンが形成されている。第２エレメント２１−３のパターンは、細長い矩形状とされたエレメント２１−３ｂとエレメント２１−３ｃとエレメント２１−３ｄの互いに隣接する３本のパターンからなり、第３突起片１１ｃの部分に形成された給電部２１−３ａから二股に分かれてエレメント２１−３ｂとエレメント２１−３ｃが上方へ向かってほぼ垂直に形成されていると共に、エレメント２１−３ｃに隣接して無給電素子とされるエレメント２１−３ｄが上方へ向かってほぼ垂直に形成されている。第２エレメント２１−３における一番短いエレメント２１−３ｂの電気長は約０．２５λ２の電気長とされ、第２エレメント２１−３における中間のエレメント２１−３ｃの電気長は約０．２５λ１の電気長とされている。また、第２エレメント２１−３における一番長いエレメント２１−３ｄの電気長は、２４００−２５００ＭＨｚの無線ＬＡＮの２．４ＧＨｚ帯の中心周波数（２４５０ＭＨｚ）の波長をλ３とした際に、約０．６λ３の電気長とされている。さらに、第１突起片１１ａ、第２突起片１１ｂおよび第３突起片１１ｃに、それぞれ矩形状のパターンが形成されている。なお、電気長で表した寸法の物理長は、アンテナ基板１１の比誘電率をεとした際に、電気長／√εとなる。 
【００２１】
上記寸法とした際の、第３の多周波エレメント構成Ｃとされた多周波アンテナ１の電圧定在波比（ＶＳＷＲ）の周波数特性を図１１に示す。 
図１１に示すＶＳＷＲ特性を参照すると、８１５ＭＨｚにおけるＶＳＷＲが約２、８７５ＭＨｚにおけるＶＳＷＲが約１．８、１４２７ＭＨｚにおけるＶＳＷＲが約２、１５１１ＭＨｚにおけるＶＳＷＲが約２．４、１９２０ＭＨｚにおけるＶＳＷＲが約２．７、２１７０ＭＨｚにおけるＶＳＷＲが約１．７、２３００ＭＨｚにおけるＶＳＷＲが約３．５、２４００ＭＨｚにおけるＶＳＷＲが約２．４、２５００ＭＨｚにおけるＶＳＷＲが約１、２６００ＭＨｚにおけるＶＳＷＲが約２．２となっている。 
第３の多周波エレメント構成Ｃにおいては、ＷｉＭＡＸの２．５ＧＨｚ帯とＬＴＥの１．５ＧＨｚ帯と無線ＬＡＮの２．４ＧＨｚ帯に共振する第２エレメント２１−３を備えることから、ＬＴＥの８１５−８７５ＭＨｚの８００ＭＨｚ帯と１４２７−１５１１ＭＨｚの１．５ＧＨｚ帯と１９２０−２１７０ＭＨｚの２ＧＨｚ帯においてはインピーダンス整合がとられてＶＳＷＲが２．７以下となり、良好なＶＳＷＲが得られている。また、無線ＬＡＮの２４００−２５００ＭＨｚの２．４ＧＨｚ帯とＷｉＭＡＸの２５００−２６００ＭＨｚの２．５ＧＨｚ帯においてもインピーダンス整合がとられてＶＳＷＲが２．４以下の良好なＶＳＷＲが得られている。ただし、２３００ＭＨｚにおいてはインピーダンス整合がとられておらずＶＳＷＲが約３．５になってしまっている。 
【００２２】
次に、第４の多周波エレメント構成Ｄとされたアンテナ基板１１の構成を図１２に示す。図１２はアンテナ基板１１の裏面に形成された第２エレメント２１−４のアンテナパターンの構成を示す図である。なお、第４の多周波エレメント構成Ｄにおけるアンテナ基板１１の表面に形成されている第１エレメント２０のパターンの構成および寸法は図４および図５に示す第１の多周波エレメント構成Ａと同様とされている。 
図１２に示す第４の多周波エレメント構成Ｄにおいて、アンテナ基板１１の裏面には第２エレメント２１−４のパターンが形成されている。第２エレメント２１−４のパターンは、細長い矩形状とされたエレメント２１−４ｂとエレメント２１−４ｃとエレメント２１−４ｄとエレメント２１−４ｅとの互いに隣接する４本のパターンからなり、第３突起片１１ｃの部分に形成された給電部２１−４ａから二股に分かれてエレメント２１−４ｂとエレメント２１−４ｃが上方へ向かってほぼ垂直に形成されている。そして、エレメント２１−４ｃに隣接して無給電素子とされるエレメント２１−４ｄが上方へ向かってほぼ垂直に形成されており、エレメント２１−４ｄの外側に隣接して無給電素子とされるエレメント２１−４ｅが上方へ向かってほぼ垂直に形成されている。第２エレメント２１−４における一番短いエレメント２１−４ｂの電気長は約０．２５λ２の電気長とされ、第２エレメント２１−４における中間のエレメント２１−４ｃの電気長は約０．２５λ１の電気長とされ、第２エレメント２１−４におけるもう一つの中間のエレメント２１−４ｄの電気長は約０．６λ３の電気長とされている。また、第２エレメント２１−４におけるエレメント２１−４ｄの外側に隣接するエレメント２１−４ｅの電気長は、２３００ＭＨｚの波長をλ４とした際に、約０．５λ４の電気長とされている。さらに、第１突起片１１ａ、第２突起片１１ｂおよび第３突起片１１ｃに、それぞれ矩形状のパターンが形成されている。なお、電気長で表した寸法の物理長は、アンテナ基板１１の比誘電率をεとした際に、電気長／√εとなる。 
【００２３】
上記寸法とした際の、第４の多周波エレメント構成Ｄとされた多周波アンテナ１の電圧定在波比（ＶＳＷＲ）の周波数特性を図１３に示す。 
図１３に示すＶＳＷＲ特性を参照すると、８１５ＭＨｚにおけるＶＳＷＲが約２．１、８７５ＭＨｚにおけるＶＳＷＲが約１．７、１４２７ＭＨｚにおけるＶＳＷＲが約２．２、１５１１ＭＨｚにおけるＶＳＷＲが約２．２、１９２０ＭＨｚにおけるＶＳＷＲが約２．７、２１７０ＭＨｚにおけるＶＳＷＲが約１．７、２３００ＭＨｚにおけるＶＳＷＲが約２．５、２４００ＭＨｚにおけるＶＳＷＲが約２、２５００ＭＨｚにおけるＶＳＷＲが約１、２６００ＭＨｚにおけるＶＳＷＲが約２．１となっている。 
第４の多周波エレメント構成Ｄにおいては、ＷｉＭＡＸの２．５ＧＨｚ帯とＬＴＥの１．５ＧＨｚ帯と無線ＬＡＮの２．４ＧＨｚ帯と２３００ＭＨｚに共振する第２エレメント２１−４を備えることから、ＬＴＥの８１５−８７５ＭＨｚの８００ＭＨｚ帯と１４２７−１５１１ＭＨｚの１．５ＧＨｚ帯と１９２０−２１７０ＭＨｚの２ＧＨｚ帯においてはインピーダンス整合がとられてＶＳＷＲが２．７以下となり、良好なＶＳＷＲが得られている。また、無線ＬＡＮの２４００−２５００ＭＨｚの２．４ＧＨｚ帯とＷｉＭＡＸの２５００−２６００ＭＨｚの２．５ＧＨｚ帯においてもインピーダンス整合がとられてＶＳＷＲが２．１以下の良好なＶＳＷＲが得られている。さらに、２３００ＭＨｚにおいてもインピーダンス整合がとられてＶＳＷＲが約２．５の良好なＶＳＷＲが得られている。 
【００２４】
次に、第５の多周波エレメント構成Ｅとされたアンテナ基板１１の構成を図１４（ａ）（ｂ）に示す。図１４（ａ）はアンテナ基板１１の裏面に形成された第２エレメント２１−５のアンテナパターンの構成を示す図であり、図１４（ｂ）は第２エレメント２１−５の寸法を示す図である。なお、第５の多周波エレメント構成Ｅにおけるアンテナ基板１１の表面に形成されている第１エレメント２０のパターンの構成および寸法は図４および図５に示す第１の多周波エレメント構成Ａと同様とされている。 
図１４（ａ）に示す第５の多周波エレメント構成Ｅにおいて、アンテナ基板１１の裏面には第２エレメント２１−５のパターンが形成されている。第２エレメント２１−５のパターンは、細長い矩形状とされたエレメント２１−５ｂとエレメント２１−５ｃとの隣接する２本のパターンからなり、第３突起片１１ｃの部分に形成された給電部２１−５ａから二股に分かれて傾斜角θ１で傾斜されて形成されている。傾斜角θ１は約６０°とされている。第２エレメント２１−５における短い方のエレメント２１−５ｂの電気長は約０．２５λ２の電気長とされており、第２エレメント２１−５における長い方のエレメント２１−５ｃの電気長は、約０．２５λ１の電気長とされている。さらに、第１突起片１１ａ、第２突起片１１ｂおよび第３突起片１１ｃに、それぞれ矩形状のパターンが形成されている。なお、電気長で表した寸法の物理長は、アンテナ基板１１の比誘電率をεとした際に、電気長／√εとなる。 
【００２５】
上記寸法とした際の、第５の多周波エレメント構成Ｅとされた多周波アンテナ１の電圧定在波比（ＶＳＷＲ）の周波数特性を図１５に示す。 
図１５に示すＶＳＷＲ特性を参照すると、８１５ＭＨｚにおけるＶＳＷＲが約２、８７５ＭＨｚにおけるＶＳＷＲが約１．８、１４２７ＭＨｚにおけるＶＳＷＲが約２．５、１５１１ＭＨｚにおけるＶＳＷＲが約２、１９２０ＭＨｚにおけるＶＳＷＲが約２．７、２１７０ＭＨｚにおけるＶＳＷＲが約２．３、２３００ＭＨｚにおけるＶＳＷＲが約６．７、２４００ＭＨｚにおけるＶＳＷＲが約２．７、２５００ＭＨｚにおけるＶＳＷＲが約１．５、２６００ＭＨｚにおけるＶＳＷＲが約２．９となっている。 
第５の多周波エレメント構成Ｅにおいては、ＷｉＭＡＸの２．５ＧＨｚ帯とＬＴＥの１．５ＧＨｚ帯に共振する第２エレメント２１−５を備えることから、ＬＴＥの８１５−８７５ＭＨｚの８００ＭＨｚ帯と１４２７−１５１１ＭＨｚの１．５ＧＨｚ帯と１９２０−２１７０ＭＨｚの２ＧＨｚ帯においてはインピーダンス整合がとられてＶＳＷＲが２．７以下となり、良好なＶＳＷＲが得られている。また、ＷｉＭＡＸの２５００−２６００ＭＨｚの２．５ＧＨｚ帯においてもインピーダンス整合がとられてＶＳＷＲが２．９以下の良好なＶＳＷＲが得られている。ただし、２３００ＭＨｚにおいてはインピーダンス整合がとられておらずＶＳＷＲが約６．７になってしまうが、無線ＬＡＮの２４００−２５００ＭＨｚの２．４ＧＨｚ帯においてはＶＳＷＲが約２．７以下の良好なＶＳＷＲが得られている。 
【００２６】
次に、第６の多周波エレメント構成Ｆとされたアンテナ基板１１の構成を図１６（ａ）（ｂ）に示す。図１６（ａ）はアンテナ基板１１の裏面に形成された第２エレメント２１−６のアンテナパターンの構成を示す図であり、図１６（ｂ）は第２エレメント２１−６の寸法を示す図である。なお、第６の多周波エレメント構成Ｆにおけるアンテナ基板１１の表面に形成されている第１エレメント２０のパターンの構成および寸法は図４および図５に示す第１の多周波エレメント構成Ａと同様とされている。 
図１６（ａ）に示す第６の多周波エレメント構成Ｆにおいて、アンテナ基板１１の裏面には第２エレメント２１−６のパターンが形成されている。第２エレメント２１−６のパターンは、細長い矩形状とされたエレメント２１−６ｂとエレメント２１−６ｃとエレメント２１−６ｄの互いに隣接する３本のパターンからなり、第３突起片１１ｃの部分に形成された給電部２１−６ａから二股に分かれてエレメント２１−６ｂとエレメント２１−６ｃが傾斜角θ１で傾斜されて形成されていると共に、エレメント２１−６ｃに隣接して無給電素子とされるエレメント２１−６ｄが傾斜角θ１で傾斜されて形成されている。傾斜角θ１は約６０°とされている。第２エレメント２１−６における一番短いエレメント２１−６ｂの電気長は約０．２５λ２の電気長とされ、第２エレメント２１−６における中間のエレメント２１−６ｃの電気長は約０．２５λ１の電気長とされている。また、第２エレメント２１−６における一番長いエレメント２１−６ｄの電気長は約０．６λ３の電気長とされている。さらに、第１突起片１１ａ、第２突起片１１ｂおよび第３突起片１１ｃに、それぞれ矩形状のパターンが形成されている。なお、電気長で表した寸法の物理長は、アンテナ基板１１の比誘電率をεとした際に、電気長／√εとなる。 
【００２７】
上記寸法とした際の、第６の多周波エレメント構成Ｆとされた多周波アンテナ１の電圧定在波比（ＶＳＷＲ）の周波数特性を図１７に示す。 
図１７に示すＶＳＷＲ特性を参照すると、８１５ＭＨｚにおけるＶＳＷＲが約１．７、８７５ＭＨｚにおけるＶＳＷＲが約２．８、１４２７ＭＨｚにおけるＶＳＷＲが約２．６、１５１１ＭＨｚにおけるＶＳＷＲが約１．５、１９２０ＭＨｚにおけるＶＳＷＲが約２．８、２１７０ＭＨｚにおけるＶＳＷＲが約２．２、２３００ＭＨｚにおけるＶＳＷＲが約６．１、２４００ＭＨｚにおけるＶＳＷＲが約２．７、２５００ＭＨｚにおけるＶＳＷＲが約１．４、２６００ＭＨｚにおけるＶＳＷＲが約２．４となっている。 
第６の多周波エレメント構成Ｆにおいては、ＷｉＭＡＸの２．５ＧＨｚ帯とＬＴＥの１．５ＧＨｚ帯と無線ＬＡＮの２．４ＧＨｚ帯に共振する第２エレメント２１−６を備えることから、ＬＴＥの８１５−８７５ＭＨｚの８００ＭＨｚ帯と１４２７−１５１１ＭＨｚの１．５ＧＨｚ帯と１９２０−２１７０ＭＨｚの２ＧＨｚ帯においてはインピーダンス整合がとられてＶＳＷＲが２．８以下となり、良好なＶＳＷＲが得られている。また、無線ＬＡＮの２４００−２５００ＭＨｚの２．４ＧＨｚ帯とＷｉＭＡＸの２５００−２６００ＭＨｚの２．５ＧＨｚ帯においてもインピーダンス整合がとられてＶＳＷＲが２．７以下の良好なＶＳＷＲが得られている。ただし、２３００ＭＨｚにおいてはインピーダンス整合がとられておらずＶＳＷＲが約６．１になってしまっている。 
【００２８】
次に、第７の多周波エレメント構成Ｇとされたアンテナ基板１１の構成を図１８（ａ）（ｂ）に示す。図１８（ａ）はアンテナ基板１１の裏面に形成された第２エレメント２１−７のアンテナパターンの構成を示す図であり、図１８（ｂ）は第２エレメント２１−７の寸法を示す図である。なお、第７の多周波エレメント構成Ｇにおけるアンテナ基板１１の表面に形成されている第１エレメント２０のパターンの構成および寸法は図４および図５に示す第１の多周波エレメント構成Ａと同様とされている。 
図１８（ａ）に示す第７の多周波エレメント構成Ｇにおいて、アンテナ基板１１の裏面には第２エレメント２１−７のパターンが形成されている。第２エレメント２１−７のパターンは、細長い矩形状とされたエレメント２１−７ｂとエレメント２１−７ｃとエレメント２１−７ｄとエレメント２１−７ｅとの互いに隣接する４本のパターンからなり、第３突起片１１ｃの部分に形成された給電部２１−７ａから二股に分かれてエレメント２１−７ｂとエレメント２１−７ｃが傾斜角θ１で傾斜されて形成されている。そして、エレメント２１−７ｃに隣接して無給電素子とされるエレメント２１−７ｄが傾斜角θ１で傾斜されて形成されており、エレメント２１−７ｄの外側に隣接して無給電素子とされるエレメント２１−７ｅが傾斜角θ１で傾斜されて形成されている。傾斜角θ１は約６０°とされている。第２エレメント２１−７における一番短いエレメント２１−７ｂの電気長は約０．２５λ２の電気長とされ、第２エレメント２１−７における中間のエレメント２１−７ｃの電気長は約０．２５λ１の電気長とされ、第２エレメント２１−７におけるもう一つの中間のエレメント２１−７ｄの電気長は約０．６λ３の電気長とされている。また、第２エレメント２１−７におけるエレメント２１−７ｄの外側に隣接するエレメント２１−７ｅの電気長は約０．５λ４の電気長とされている。さらに、第１突起片１１ａ、第２突起片１１ｂおよび第３突起片１１ｃに、それぞれ矩形状のパターンが形成されている。なお、電気長で表した寸法の物理長は、アンテナ基板１１の比誘電率をεとした際に、電気長／√εとなる。 
【００２９】
上記寸法とした際の、第７の多周波エレメント構成Ｇとされた多周波アンテナ１の電圧定在波比（ＶＳＷＲ）の周波数特性を図１９に示す。 
図１９に示すＶＳＷＲ特性を参照すると、８１５ＭＨｚにおけるＶＳＷＲが約１．８、８７５ＭＨｚにおけるＶＳＷＲが約２．６、１４２７ＭＨｚにおけるＶＳＷＲが約２．６、１５１１ＭＨｚにおけるＶＳＷＲが約１．４、１９２０ＭＨｚにおけるＶＳＷＲが約２．７、２１７０ＭＨｚにおけるＶＳＷＲが約１．８、２３００ＭＨｚにおけるＶＳＷＲが約２．８、２４００ＭＨｚにおけるＶＳＷＲが約２、２５００ＭＨｚにおけるＶＳＷＲが約１．４、２６００ＭＨｚにおけるＶＳＷＲが約２．４となっている。 
第７の多周波エレメント構成Ｇにおいては、ＷｉＭＡＸの２．５ＧＨｚ帯とＬＴＥの１．５ＧＨｚ帯と無線ＬＡＮの２．４ＧＨｚ帯と２３００ＭＨｚに共振する第２エレメント２１−７を備えることから、ＬＴＥの８１５−８７５ＭＨｚの８００ＭＨｚ帯と１４２７−１５１１ＭＨｚの１．５ＧＨｚ帯と１９２０−２１７０ＭＨｚの２ＧＨｚ帯においてはインピーダンス整合がとられてＶＳＷＲが２．７以下となり、良好なＶＳＷＲが得られている。また、無線ＬＡＮの２４００−２５００ＭＨｚの２．４ＧＨｚ帯とＷｉＭＡＸの２５００−２６００ＭＨｚの２．５ＧＨｚ帯においてもインピーダンス整合がとられてＶＳＷＲが２．４以下の良好なＶＳＷＲが得られている。さらに、２３００ＭＨｚにおいてもインピーダンス整合がとられてＶＳＷＲが約２．８の良好なＶＳＷＲが得られている。 
【００３０】
上記したように、第５の多周波エレメント構成Ｅないし第７の多周波エレメント構成Ｇにおいて、第２エレメント２１−５〜２１−７を傾斜角θ１で傾斜させると、第２エレメント２１−５〜２１−７が金属製の基板固定金具１２に近づくように傾斜することから、第２エレメント２１−５〜２１−７と基板固定金具１２間の静電容量が増加するようになる。これにより、第５の多周波エレメント構成Ｅないし第７の多周波エレメント構成Ｇにおける電気的特性が変化して、インピーダンス整合がとられるようになりＶＳＷＲ特性がより改善されるようになるものと考えられる。第２エレメント２１−５〜２１−７の傾斜角θを小さくしていくと静電容量がさらに増加するようになって、多周波アンテナ１における電気的特性の改善は見られなくなる傾斜角θとなる。本発明にかかる多周波アンテナ１においては、電気的特性の改善をおこなえる傾斜角θの範囲を約２０°ないし約６０°としている。そこで、傾斜角θを約２０°した際の多周波エレメント構成を次に説明する。 
【００３１】
第８の多周波エレメント構成Ｈとされたアンテナ基板１１の構成を図２０に示す。図２０はアンテナ基板１１の裏面に形成された第２エレメント２１−８のアンテナパターンの構成を示す図である。なお、第８の多周波エレメント構成Ｈにおけるアンテナ基板１１の表面に形成されている第１エレメント２０のパターンの構成および寸法は図４および図５に示す第１の多周波エレメント構成Ａと同様とされている。 
図２０に示す第８の多周波エレメント構成Ｈにおいて、アンテナ基板１１の裏面には第２エレメント２１−８のパターンが形成されている。第２エレメント２１−８のパターンは、細長い矩形状とされたエレメント２１−８ｂの１本のパターンからなり、第３突起片１１ｃの部分に形成された給電部２１−８ａから傾斜角θ２で傾斜されて形成されている。傾斜角θ２は約２０°とされている。第２エレメント２１−８におけるエレメント２１−８ｂの電気長は約０．２５λ１の電気長とされている。さらに、第１突起片１１ａ、第２突起片１１ｂおよび第３突起片１１ｃに、それぞれ矩形状のパターンが形成されている。なお、電気長で表した寸法の物理長は、アンテナ基板１１の比誘電率をεとした際に、電気長／√εとなる。 
【００３２】
上記寸法とした際の、第８の多周波エレメント構成Ｈとされた多周波アンテナ１の電圧定在波比（ＶＳＷＲ）の周波数特性を図２１に示す。 
図２１に示すＶＳＷＲ特性を参照すると、８１５ＭＨｚにおけるＶＳＷＲが約２．１、８７５ＭＨｚにおけるＶＳＷＲが約１．９、１４２７ＭＨｚにおけるＶＳＷＲが約２．８、１５１１ＭＨｚにおけるＶＳＷＲが約２．３、１９２０ＭＨｚにおけるＶＳＷＲが約１．９、２１７０ＭＨｚにおけるＶＳＷＲが約１．４、２３００ＭＨｚにおけるＶＳＷＲが約３．８、２４００ＭＨｚにおけるＶＳＷＲが約５．２、２５００ＭＨｚにおけるＶＳＷＲが約５．６、２６００ＭＨｚにおけるＶＳＷＲが約４．８となっている。 
第８の多周波エレメント構成Ｈにおいては、ＬＴＥの１．５ＧＨｚ帯に共振する第２エレメント２１−８を備えることから、ＬＴＥの８１５−８７５ＭＨｚの８００ＭＨｚ帯と１４２７−１５１１ＭＨｚの１．５ＧＨｚ帯と１９２０−２１７０ＭＨｚの２ＧＨｚ帯においてはインピーダンス整合がとられてＶＳＷＲが２．８以下となり、良好なＶＳＷＲが得られている。ただし、２３００ＭＨｚにおいてはインピーダンス整合がとられておらずＶＳＷＲが約３．８になってしまうと共に、無線ＬＡＮの２４００−２５００ＭＨｚの２．４ＧＨｚ帯においてもインピーダンス整合がとられておらずＶＳＷＲが 最大５．６になっている。また、ＷｉＭＡＸの２５００−２６００ＭＨｚの２．５ＧＨｚ帯においてもインピーダンス整合がとられておらずＶＳＷＲは最大５．６になってしまっている。 
【００３３】
次に、第９の多周波エレメント構成Ｉとされたアンテナ基板１１の構成を図２２に示す。図２２はアンテナ基板１１の裏面に形成された第２エレメント２１−９のアンテナパターンの構成を示す図である。なお、第９の多周波エレメント構成Ｈにおけるアンテナ基板１１の表面に形成されている第１エレメント２０のパターンの構成および寸法は図４および図５に示す第１の多周波エレメント構成Ａと同様とされている。 
図２２に示す第９の多周波エレメント構成Ｉにおいて、アンテナ基板１１の裏面には第２エレメント２１−９のパターンが形成されている。第２エレメント２１−９のパターンは、細長い矩形状とされたエレメント２１−９ｂとエレメント２１−９ｃとの隣接する２本のパターンからなり、第３突起片１１ｃの部分に形成された給電部２１−９ａから二股に分かれて傾斜角θ２で傾斜されて形成されている。傾斜角θ２は約２０°とされている。第２エレメント２１−９における短い方のエレメント２１−９ｂの電気長は約０．２５λ２の電気長とされており、第２エレメント２１−９における長い方のエレメント２１−９ｃの電気長は、約０．２５λ１の電気長とされている。さらに、第１突起片１１ａ、第２突起片１１ｂおよび第３突起片１１ｃに、それぞれ矩形状のパターンが形成されている。なお、電気長で表した寸法の物理長は、アンテナ基板１１の比誘電率をεとした際に、電気長／√εとなる。 
【００３４】
上記寸法とした際の、第９の多周波エレメント構成Ｉとされた多周波アンテナ１の電圧定在波比（ＶＳＷＲ）の周波数特性を図２３に示す。 
図２３に示すＶＳＷＲ特性を参照すると、８１５ＭＨｚにおけるＶＳＷＲが約２．１、８７５ＭＨｚにおけるＶＳＷＲが約１．９、１４２７ＭＨｚにおけるＶＳＷＲが約２．９、１５１１ＭＨｚにおけるＶＳＷＲが約１．１、１９２０ＭＨｚにおけるＶＳＷＲが約３、２１７０ＭＨｚにおけるＶＳＷＲが約１．９、２３００ＭＨｚにおけるＶＳＷＲが約７．３、２４００ＭＨｚにおけるＶＳＷＲが約３．１、２５００ＭＨｚにおけるＶＳＷＲが約２．５、２６００ＭＨｚにおけるＶＳＷＲが約２．１となっている。 
第９の多周波エレメント構成Ｉにおいては、ＷｉＭＡＸの２．５ＧＨｚ帯とＬＴＥの１．５ＧＨｚ帯に共振する第２エレメント２１−９を備えることから、ＬＴＥの８１５−８７５ＭＨｚの８００ＭＨｚ帯と１４２７−１５１１ＭＨｚの１．５ＧＨｚ帯と１９２０−２１７０ＭＨｚの２ＧＨｚ帯においてはインピーダンス整合がとられてＶＳＷＲが２．９以下となり、良好なＶＳＷＲが得られている。また、ＷｉＭＡＸの２５００−２６００ＭＨｚの２．５ＧＨｚ帯においてもインピーダンス整合がとられてＶＳＷＲが２．５以下の良好なＶＳＷＲが得られている。ただし、２３００ＭＨｚにおいてはインピーダンス整合がとられておらずＶＳＷＲが約７．３になってしまうが、無線ＬＡＮの２４００−２５００ＭＨｚの２．４ＧＨｚ帯においてはＶＳＷＲが約３．１以下のＶＳＷＲが得られている。 
【００３５】
次に、第１０の多周波エレメント構成Ｊとされたアンテナ基板１１の構成を図２４に示す。図２４はアンテナ基板１１の裏面に形成された第２エレメント２１−１０のアンテナパターンの構成を示す図である。なお、第１０の多周波エレメント構成Ｊにおけるアンテナ基板１１の表面に形成されている第１エレメント２０のパターンの構成および寸法は図４および図５に示す第１の多周波エレメント構成Ａと同様とされている。 
図２４に示す第１０の多周波エレメント構成Ｊにおいて、アンテナ基板１１の裏面には第２エレメント２１−１０のパターンが形成されている。第２エレメント２１−１０のパターンは、細長い矩形状とされたエレメント２１−１０ｂとエレメント２１−１０ｃとエレメント２１−１０ｄの互いに隣接する３本のパターンからなり、第３突起片１１ｃの部分に形成された給電部２１−１０ａから二股に分かれてエレメント２１−１０ｂとエレメント２１−１０ｃが傾斜角θ２で傾斜されて形成されていると共に、エレメント２１−１０ｃに隣接して無給電素子とされるエレメント２１−１０ｄが傾斜角θ２で傾斜されて形成されている。傾斜角θ２は約２０°とされている。第２エレメント２１−１０における一番短いエレメント２１−１０ｂの電気長は約０．２５λ２の電気長とされ、第２エレメント２１−１０における中間のエレメント２１−１０ｃの電気長は約０．２５λ１の電気長とされている。また、第２エレメント２１−１０における一番長いエレメント２１−１０ｄの電気長は約０．６λ３の電気長とされている。さらに、第１突起片１１ａ、第２突起片１１ｂおよび第３突起片１１ｃに、それぞれ矩形状のパターンが形成されている。なお、電気長で表した寸法の物理長は、アンテナ基板１１の比誘電率をεとした際に、電気長／√εとなる。 
【００３６】
上記寸法とした際の、第１０の多周波エレメント構成Ｆとされた多周波アンテナ１の電圧定在波比（ＶＳＷＲ）の周波数特性を図２５に示す。 
図２５に示すＶＳＷＲ特性を参照すると、８１５ＭＨｚにおけるＶＳＷＲが約１．８、８７５ＭＨｚにおけるＶＳＷＲが約２、１４２７ＭＨｚにおけるＶＳＷＲが約２．５、１５１１ＭＨｚにおけるＶＳＷＲが約１．８、１９２０ＭＨｚにおけるＶＳＷＲが約２．７、２１７０ＭＨｚにおけるＶＳＷＲが約１．９、２３００ＭＨｚにおけるＶＳＷＲが約５．４、２４００ＭＨｚにおけるＶＳＷＲが約２、２５００ＭＨｚにおけるＶＳＷＲが約１．５、２６００ＭＨｚにおけるＶＳＷＲが約２．１となっている。 
第１０の多周波エレメント構成Ｊにおいては、ＷｉＭＡＸの２．５ＧＨｚ帯とＬＴＥの１．５ＧＨｚ帯と無線ＬＡＮの２．４ＧＨｚ帯に共振する第２エレメント２１−１０を備えることから、ＬＴＥの８１５−８７５ＭＨｚの８００ＭＨｚ帯と１４２７−１５１１ＭＨｚの１．５ＧＨｚ帯と１９２０−２１７０ＭＨｚの２ＧＨｚ帯においてはインピーダンス整合がとられてＶＳＷＲが２．７以下となり、良好なＶＳＷＲが得られている。また、無線ＬＡＮの２４００−２５００ＭＨｚの２．４ＧＨｚ帯とＷｉＭＡＸの２５００−２６００ＭＨｚの２．５ＧＨｚ帯においてもインピーダンス整合がとられてＶＳＷＲが２．１以下の良好なＶＳＷＲが得られている。ただし、２３００ＭＨｚにおいてはインピーダンス整合がとられておらずＶＳＷＲが約５．４になってしまっている。 
【００３７】
次に、第１１の多周波エレメント構成Ｋとされたアンテナ基板１１の構成を図２６に示す。図２６はアンテナ基板１１の裏面に形成された第２エレメント２１−１１のアンテナパターンの構成を示す図である。なお、第１１の多周波エレメント構成Ｋにおけるアンテナ基板１１の表面に形成されている第１エレメント２０のパターンの構成および寸法は図４および図５に示す第１の多周波エレメント構成Ａと同様とされている。 
図２６に示す第１１の多周波エレメント構成Ｋにおいて、アンテナ基板１１の裏面には第２エレメント２１−１１のパターンが形成されている。第２エレメント２１−１１のパターンは、細長い矩形状とされたエレメント２１−１１ｂとエレメント２１−１１ｃとエレメント２１−１１ｄとエレメント２１−１１ｅとの互いに隣接する４本のパターンからなり、第３突起片１１ｃの部分に形成された給電部２１−１１ａから二股に分かれてエレメント２１−１１ｂとエレメント２１−１１ｃが傾斜角θ２で傾斜されて形成されている。そして、エレメント２１−１１ｃに隣接して無給電素子とされるエレメント２１−１１ｄが傾斜角θ２で傾斜されて形成されており、エレメント２１−１１ｄの外側に隣接して無給電素子とされるエレメント２１−１１ｅが傾斜角θ２で傾斜されて形成されている。傾斜角θ２は約２０°とされている。第２エレメント２１−１１における一番短いエレメント２１−１１ｂの電気長は約０．２５λ２の電気長とされ、第２エレメント２１−１１における中間のエレメント２１−１１ｃの電気長は約０．２５λ１の電気長とされ、第２エレメント２１−１１におけるもう一つの中間のエレメント２１−１１ｄの電気長は約０．６λ３の電気長とされている。また、第２エレメント２１−１１におけるエレメント２１−１１ｄの外側に隣接するエレメント２１−１１ｅの電気長は約０．５λ４の電気長とされている。さらに、第１突起片１１ａ、第２突起片１１ｂおよび第３突起片１１ｃに、それぞれ矩形状のパターンが形成されている。なお、電気長で表した寸法の物理長は、アンテナ基板１１の比誘電率をεとした際に、電気長／√εとなる。 
【００３８】
上記寸法とした際の、第１１の多周波エレメント構成Ｋとされた多周波アンテナ１の電圧定在波比（ＶＳＷＲ）の周波数特性を図２７に示す。 
図２７に示すＶＳＷＲ特性を参照すると、８１５ＭＨｚにおけるＶＳＷＲが約２．３、８７５ＭＨｚにおけるＶＳＷＲが約１．３、１４２７ＭＨｚにおけるＶＳＷＲが約２．５、１５１１ＭＨｚにおけるＶＳＷＲが約１．３、１９２０ＭＨｚにおけるＶＳＷＲが約２．９、２１７０ＭＨｚにおけるＶＳＷＲが約２．２、２３００ＭＨｚにおけるＶＳＷＲが約２．９、２４００ＭＨｚにおけるＶＳＷＲが約１．８、２５００ＭＨｚにおけるＶＳＷＲが約１．９、２６００ＭＨｚにおけるＶＳＷＲが約２．３となっている。 
第１１の多周波エレメント構成Ｋにおいては、ＷｉＭＡＸの２．５ＧＨｚ帯とＬＴＥの１．５ＧＨｚ帯と無線ＬＡＮの２．４ＧＨｚ帯と２３００ＭＨｚに共振する第２エレメント２１−１１を備えることから、ＬＴＥの８１５−８７５ＭＨｚの８００ＭＨｚ帯と１４２７−１５１１ＭＨｚの１．５ＧＨｚ帯と１９２０−２１７０ＭＨｚの２ＧＨｚ帯においてはインピーダンス整合がとられてＶＳＷＲが２．９以下となり、良好なＶＳＷＲが得られている。また、無線ＬＡＮの２４００−２５００ＭＨｚの２．４ＧＨｚ帯とＷｉＭＡＸの２５００−２６００ＭＨｚの２．５ＧＨｚ帯においてもインピーダンス整合がとられてＶＳＷＲが２．３以下の良好なＶＳＷＲが得られている。さらに、２３００ＭＨｚにおいてもインピーダンス整合がとられてＶＳＷＲが約２．９の良好なＶＳＷＲが得られている。 
【産業上の利用可能性】
【００３９】
以上説明した本発明にかかる多周波アンテナにおいて、多周波エレメント構成Ａ、多周波エレメント構成Ｅを備える多周波アンテナは、８００ＭＨｚ帯、１．５ＧＨｚ帯および２ＧＨｚ帯のＬＴＥ用の多周波アンテナとして使用される。また、多周波エレメント構成Ｂ、多周波エレメント構成Ｅ、多周波エレメント構成Ｉを備える多周波アンテナは、８００ＭＨｚ帯、１．５ＧＨｚ帯および２ＧＨｚ帯のＬＴＥ用、および、２．５ＧＨｚ帯のＷｉＭＡＸ用の多周波アンテナとして使用される。さらに、多周波エレメント構成Ｃ、多周波エレメント構成Ｆ、多周波エレメント構成Ｊを備える多周波アンテナは、８００ＭＨｚ帯、１．５ＧＨｚ帯および２ＧＨｚ帯のＬＴＥ用、２．５ＧＨｚ帯のＷｉＭＡＸ用の多周波アンテナ、および、２．４ＧＨｚ帯の無線ＬＡＮ用として使用される。さらにまた、多周波エレメント構成Ｄ、多周波エレメント構成Ｇ、多周波エレメント構成Ｋを備える多周波アンテナは、８００ＭＨｚ帯、１．５ＧＨｚ帯および２ＧＨｚ帯のＬＴＥ用、２．５ＧＨｚ帯のＷｉＭＡＸ用の多周波アンテナ、２．４ＧＨｚ帯の無線ＬＡＮ用、および、２３００ＭＨｚ用として使用される。このように、本発明の多周波アンテナにおいては、使用する周波数帯域に応じて第２エレメントの本数を設定することにより、多周波アンテナの多共振化および広帯域化を図ることができる。 
なお、本発明にかかる多周波アンテナにおいて、アンテナ基板１１をガラスエポキシ基板とした際の比誘電率εは約４．６となる。また、アンテナ基板１１の裏面に設けられている給電部２１−１ａ〜２１−１１ａは、アンテナ基板の表面に設けられている給電部２０ｇと電気的に接続されて給電点が構成されており、この給電点から第１エレメント２０および第２エレメント２１−１〜２１−１１に給電されるようになる。 
【符号の説明】
【００４０】
１  多周波アンテナ、１０  レドーム、１１  アンテナ基板、１１ａ  第１突起片、１１ｂ  第２突起片、１１ｃ  第３突起片、１２  基板固定金具、１３  給電基板、１４  グロメット、１５  ベース、１５ａ  収納溝、１６  ケーブル、２０  第１エレメント、２０ａ  アンテナ本体部、２０ｂ  第１調整片、２０ｃ  第２調整片、２０ｄ  連結部、２０ｅ  折り返し部、２０ｆ  延伸部、２０ｇ  給電部、２１−１〜２１−１１  第２エレメント、２１−１ａ〜２１−１１ａ  給電部、１００  多周波アンテナ、１１０  アンテナ基板、１１１ａ  第１突起片、１１１ｂ  第２突起片、１１１ｃ  第３突起片、１２０  第１エレメント、１２０ａ  アンテナ本体部、１２０ｂ  第１調整片、１２０ｃ  第２調整片、１２０ｄ  連結部、１２０ｅ  折り返し部、１２０ｆ  延伸部、１２０ｇ  給電部 
【図１】
2012023493.tif 000003
【図２】
2012023493.tif 000004
【図３】
2012023493.tif 000005
【図４】
2012023493.tif 000006
【図５】
2012023493.tif 000007
【図６】
2012023493.tif 000008
【図７】
2012023493.tif 000009
【図８】
2012023493.tif 000010
【図９】
2012023493.tif 000011
【図１０】
2012023493.tif 000012
【図１１】
2012023493.tif 000013
【図１２】
2012023493.tif 000014
【図１３】
2012023493.tif 000015
【図１４】
2012023493.tif 000016
【図１５】
2012023493.tif 000017
【図１６】
2012023493.tif 000018
【図１７】
2012023493.tif 000019
【図１８】
2012023493.tif 000020
【図１９】
2012023493.tif 000021
【図２０】
2012023493.tif 000022
【図２１】
2012023493.tif 000023
【図２２】
2012023493.tif 000024
【図２３】
2012023493.tif 000025
【図２４】
2012023493.tif 000026
【図２５】
2012023493.tif 000027
【図２６】
2012023493.tif 000028
【図２７】
2012023493.tif 000029
【図２８】
2012023493.tif 000030
【図２９】
2012023493.tif 000031
【図３０】
2012023493.tif 000032